(57)【要約】【課題】害虫駆除装置の小型軽量化を図る。【解決手段】第１の光源１４と第２の光源１６を用いて害虫Ｇを第２の光源１６の方向に誘導し、誘導方向に配置した電極２０、２２間の放電によって害虫Ｇを殺傷する。第１の光源１４および第２の光源１６には紫外線ＬＥＤを使用し、それぞれ基板１２の表側と裏側に実装する。通電コントローラ３０は紫外線ＬＥＤ１４、１６と電極２０、２２への通電を制御し、害虫Ｇを誘導したときに放電を行うことで効率的な害虫駆除を実現する。【選択図】図１
2014050319.tif 000002
【特許請求の範囲】
【請求項１】
害虫の誘引効果のある光を発する第１の光源および第２の光源と、
害虫を捕獲もしくは殺傷する機能を有する害虫駆除手段と、
前記第１の光源への通電を制御する制御手段を備え、
前記第２の光源が前記第１の光源と前記害虫駆除手段との間に配置されていることを特徴とする、害虫駆除装置。
【請求項２】
前記第１の光源と前記第２の光源が紫外線ＬＥＤであって、前記第１の光源と前記第２の光源をそれぞれ表側と裏側に実装した基板を備えたことを特徴とする、
請求項１に記載の害虫駆除装置。
【請求項３】
前記害虫駆除手段が電極間に発生させた放電によって害虫を殺傷することを特徴とする、
請求項２に記載の害虫駆除装置。
【請求項４】
前記害虫駆除手段への通電を制御する制御手段を備えたことを特徴とする、
請求項１乃至３の何れかに記載の害虫駆除装置。
【請求項５】
請求項４に記載の害虫駆除装置を用いた害虫駆除方法であって、
前記第１の光源への通電を遮断もしくは低減したときに前記害虫駆除手段への通電を行うことを特徴とする、
害虫駆除方法。
【発明の詳細な説明】
【技術分野】
【０００１】
本発明は、走光性を利用した害虫駆除装置に関する。
【背景技術】
【０００２】
蠅や蛾など害虫の多くには紫外線を含む光に向かって移動する走光性があることが知られており、この走光性を利用した害虫捕獲装置が特許文献１に開示されている。また駆除の方法として電撃格子で害虫を感電死させる方法を用いた電撃殺虫器が特許文献２に開示されている。
【先行技術文献】
【特許文献】
【０００３】
【特許文献１】特開２０１２ー１９７５９号公報
【特許文献２】特開２００１ー２５２００号公報
【発明の概要】
【発明が解決しようとする課題】
【０００４】
従来の害虫駆除装置は、特許文献２に開示されているように、光源の外側に電撃格子を設置し、光源に引き寄せられてきた害虫を殺傷する方式が一般的であることから、殺虫効率を高めるためには電撃格子の密度を高めたり、より広い面積を確保したりしなければならず、装置の大型化、重量増が避けられないという問題がある。
【０００５】
本発明は、複数の光源を用いて害虫を誘導することにより装置の小型軽量化を図った害虫駆除装置を提供する。
【課題を解決するための手段】
【０００６】
本発明の第１の態様は、害虫の誘引効果のある光を発する第１の光源および第２の光源と、害虫を捕獲もしくは殺傷する機能を有する害虫駆除手段と、前記第１の光源への通電を制御する制御手段を備え、前記第２の光源が前記第１の光源と前記害虫駆除手段との間に配置されていることを特徴とする、害虫駆除装置である。
【０００７】
この害虫駆除装置は、第１の光源への通電を制御し、光量を落とすことによって第２の光源の光量を相対的に大きくすることができることに特徴がある。害虫はより光量の大きい第２の光源の方向に誘導されるため、誘導方向に配置された害虫駆除手段によって捕獲もしくは殺傷される。このように害虫を第１の光源から第２の光源の方向に誘導することで、比較的規模の小さい害虫駆除手段であっても効率的に害虫を駆除することができるようになる。これにより害虫駆除装置の小型軽量化を促進することが可能になる。
【０００８】
第１の光源および第２の光源としては紫外線ＬＥＤが好適である。紫外線ＬＥＤは、従来この種の装置で用いられていた白色電球や黄色塗装電球などに比べて害虫の誘引効果が高く、また寿命が長く電気使用量も少ないため維持費を軽減することができる。紫外線ＬＥＤは薄くて軽量であり、また発熱量も小さいため、電子回路を備えた基板に表面実装することができ、害虫駆除装置のさらなる小型軽量化を促進することが可能になる。
【０００９】
害虫駆除手段としては電極間に発生させた放電によって害虫を殺傷する方式が好適である。対向して配置された電極に電圧を印加すると電極間の電位差によって電極間に電流が流れる現象が放電であり、大気中では放電の際にスパーク（火花）が発生する。このスパークによって害虫を殺傷する場合、従来の電撃格子のような害虫との接触による汚損という問題が生じないため、装置を長期間にわたって清浄に保つことができる。また害虫駆除手段への通電を制御する制御手段を設けて、害虫を誘導したときにのみ電極への通電を行うように制御することで省電力を実現することができる。
【００１０】
本発明の第２の態様は、第１の光源への通電を遮断もしくは低減したときに害虫駆除手段への通電を行うことを特徴とする害虫駆除方法である。この方法では、害虫を第１の光源から第２の光源の方向に誘導したときに放電を行うため、小規模な装置であっても効率的な害虫駆除を実現することができ、さらには省電力を達成することができる。
【発明の効果】
【００１１】
本発明によれば、第１の光源および第２の光源という複数の光源を用いて害虫を所定の方向に誘導し、誘導方向に配置された害虫駆除手段を用いて害虫を駆除することができるため、小規模な装置であっても効率的な害虫駆除を実現し、装置の小型軽量化を図ることができる。
【図面の簡単な説明】
【００１２】
【図１】害虫駆除装置の構造を示す概念図
【図２】害虫駆除装置の電気回路の構造を示す概念図
【図３】通電コントローラの制御パターンを示すタイムチャート
【発明を実施するための形態】
【００１３】
図１において、害虫駆除装置１０は、基板１２、紫外線ＬＥＤ１４、１６、支持台１８、電極２０、２２、害虫収集皿２４、電気回路２６、２８、通電コントローラ３０を主要な構成としている。
【００１４】
基板１２は、曲率半径Ｒで湾曲した円形状の板である。図２において、基板１２の表側（凸側）には、１２個の紫外線ＬＥＤ１４が１列６個の２列で表面実装されている。基板１２には１２個の  紫外線ＬＥＤ１４と６個の抵抗による２直×６並の回路が形成されている。基板１２の裏側（凹側）には、１２個の  紫外線ＬＥＤ１６が１列６個の２列で表面実装されている。基板１２には１２個の紫外線ＬＥＤ１６と６個の抵抗による２直×６並の回路が形成されている。紫外線ＬＥＤ１４、１６は波長が３６０ｎｍ〜４１０ｎｍのものを使用する。これらの回路は、ＡＣ／ＤＣコンバータもしくはＡＣ／ＡＣコンバータからなる電気回路２６を介して家庭用電源（ＡＣ１００Ｖ）から通電される。
【００１５】
基板１２は、対向する位置に設けられた平板状の取付部３２、３４の部分で支持台１８にボルト３６、３８で固定されている。基板１２と支持台１８の間には害虫が通過することができる程度の隙間が設けられている。支持台１８には、基板１２の中央真下となる位置を挟んで対向する位置に一対の電極２０、２２が装着されてる。電極２０、２２は、電気回路２８を介して家庭用電源（ＡＣ１００Ｖ）から通電される。電気回路２８は、ＡＣ／ＤＣコンバータ４０、パルスジェネレータ４２、ＨＶＤＣ／ＤＣコンバータ４４で構成されており、家庭用の通常電圧をパルス高電圧に変換して電極２０、２２に供給する。電気回路２８と電極２０、２２は耐高電圧性のＨＶケーブル４６で接続されている。
【００１６】
一対の電極２０、２２の真下には害虫収集皿２４が設けられている。害虫収集皿２４は、基板１２と支持台１８の間の隙間から装置内部に進入し、電極２０、２２間の放電によるスパーク（火花）で殺傷された害虫Ｇを受ける皿である。害虫収集皿２４は支持台１８に対して簡単に取り外しができるようになっている。
【００１７】
通電コントローラ３０は電気回路２６、２８への通電を制御する装置である。通電コントローラ３０は図３に示すようなパターンで表側紫外線ＬＥＤ１４、裏側紫外線ＬＥＤ１６、電極２０、２２の通電のｏｎ／ｏｆｆ制御を行う。表側紫外線ＬＥＤ１４は、時間０〜ｔ１まではｏｎ状態、ｔ１〜ｔ２まではｏｆｆ状態、ｔ２〜ｔ３までは再びｏｎ状態となる。裏側紫外線ＬＥＤ１６は、時間０〜ｔ３の全ての時間において常時通電がｏｎ状態である。電極２０、２２は、時間０〜ｔ１まではｏｆｆ状態、ｔ１〜ｔ２まではｏｎ状態、ｔ２〜ｔ３までは再びｏｆｆ状態となる。
このように害虫駆除装置１０では、裏側紫外線ＬＥＤ１６が点灯している時間帯のあるタイミングにおいて表側紫外線ＬＥＤ１４が一時的に消灯し、同じタイミングで電極２０、２２間に放電を発生させるという通電制御が行われる。
【００１８】
害虫駆除装置１０における害虫の駆除方法は次のとおりである。時間０〜ｔ１間は、表側紫外線ＬＥＤ１４と裏側紫外線ＬＥＤ１６の両方が点灯し、基板１２の周辺を明るく照らし出すことで害虫Ｇの走光性を誘発し、害虫を基板１２の表側に引き寄せる。時間ｔ１〜ｔ２間は、表側紫外線ＬＥＤ１４のみを消灯し、裏側紫外線ＬＥＤ１６は点灯したままにしておく。基板１２の表側に引き寄せられていた害虫Ｇは相対的に明るくなった基板１２の裏側に誘導され、基板１２と支持台１８の間の隙間から装置内部に進入する。 表側紫外線ＬＥＤ１４が消灯したタイミングで電極２０、２２に高電圧の通電を開始し、電極２０、２２間に放電を発生させ、装置内部に誘導された害虫Ｇを放電によるスパークで殺傷する。時間ｔ２〜ｔ３間は、電極２０、２２への通電を停止し、表側紫外線ＬＥＤ１４が再び点灯する。この時間０〜ｔ３における一連の通電ｏｎ／ｏｆｆ制御を繰り返し行うことにより、装置周辺の害虫Ｇを断続的に駆除することができる。
【符号の説明】
【００１９】
１０        害虫駆除装置
１２        基板
１４        表側紫外線ＬＥＤ
１６        裏側紫外線ＬＥＤ
２０、２２  電極
２６、２８  電気回路
３０        通電コントローラ
【図１】
2014050319.tif 000003
【図２】
2014050319.tif 000004
【図３】
2014050319.tif 000005